【事件の表示】
　特願２００１−３２４１５４「風呂給湯器用リモートコントロール装置」拒絶査定不服審判事件〔平成１５年５月８日出願公開、特開２００３−１３０４５１〕について、次のとおり審決する。
【結　論】
　本件審判の請求は、成り立たない。
【理　由】
１．手続の経緯・本願発明
　本件に係る出願（以下、「本願」という。）は、平成１３年１０月２２日の特許出願であって、その請求項１に係る発明（以下、「本願発明」という。）は、平成１８年１月１９日付け手続補正書により補正された明細書及び図面の記載からみて、その特許請求の範囲の請求項１に記載された次の事項により特定されるとおりのものである。
　　　
「風呂給湯器をリモートコントローラで制御するようにした風呂給湯器用リモートコントロール装置であって、リモートコントローラに複数種の設定項目に共通の選択スイッチを設け、この選択スイッチの操作でリモートコントローラの表示部に各種設定項目の設定変更画面を表示させ、表示された設定変更画面に対応する設定項目の設定変更を可能にするものにおいて、リモートコントローラに設けた風呂の自動運転を行う自動スイッチの操作当初、リモートコントローラの表示部の画面を風呂温度や風呂湯量といった風呂に関する設定値を変更するための設定変更画面に切り替え、風呂に関する設定値を変更可能としたことを特徴とする風呂給湯器用リモートコントロール装置。」
　　　
　　　
２．刊行物
　原査定の拒絶の理由に示された、本願の出願前に日本国内で頒布された刊行物である特開平５−９９４３３号公報（以下、「公知刊行物」という。）には、図面と共に以下の事項が記載されている。　
　　　　　　　　
ア．「【実施例】以下、本発明による給湯器の操作装置の実施例について、図面とともに説明する。図１は本発明の一実施例を示し、従来例と同一符号を付した部品は同一名称と同一機能を有するものとし、異なる部品について説明すると、給湯器１１を遠隔操作するリモコン１２は給湯器１１の運転条件を表示する液晶表示器２５および設定入力する複数の操作スイッチ２４等を備える。給湯器１１の制御器１３はリモコン１２と信号の送受信をし、操作スイッチ２４の設定入力信号を受信して液晶表示器２５に表示信号を出力する表示指示器１４を有する。また、制御器１３は給湯器１１から浴槽８へ湯張り給湯する運転条件（Ｉ）のときは操作スイッチ１６で先の運転時に設定入力した設定値の記憶データＢ１を記憶保存し、追焚き運転の足し湯給湯する運転条件（II）のときは操作スイッチ１７で操作スタートの入力信号を設定入力すると、使用上安全な運転条件Ａ１を予め記憶保存する、いわゆるＥＥＰＲＯＭ（不揮発性記憶器）より構成して不揮発性を有した記憶器１５も備えている。」（段落【０００９】）　　
　　　　　　　　
イ．「図２はリモコン１２を拡大したもので、操作スイッチＡ，Ｂの構成を説明すると、スイッチ１６，１７は各々運転条件（Ｉ），（II）に対応して操作スタートと操作アップを入力し、用途の選択と運転のオンオフ信号を発信する。スイッチ１８，１９は浴槽８に給湯する湯温と湯量の設定を選択し、運転条件（Ｉ），（II）の設定に共通して使用される。スイッチ２０，２１は湯温と湯量の具体的レベルとして数値を設定入力し、スイッチ２０は表示値をダウンさせ、スイッチ２１は表示値をアップさせる。そして、スイッチ２０，２１も運転条件（Ｉ），（II）の設定に共通して使用される。ＬＥＤランプ２２，２３は操作スイッチ１６，１７に各々対応し、運転条件（Ｉ），（II）の設定スタート時から運転オフの信号入力時まで点灯し、各運転条件の設定中であることを表示して報知する。」（段落【００１０】）　　　　　　　　　　　　　
ウ．「以上の構成に基づき、次に運転条件（Ｉ）の設定方法について説明する。操作スイッチ１６をオンするとＬＥＤランプ２２が点灯し、操作スイッチ１６のオン信号としての操作スタート信号を受信した表示指示器１４は記憶器１５に記憶保存された前回の設定値を液晶表示器２５に表示信号出力する。そして、液晶表示器２５が前回の運転条件Ｂ１を表示し、設定値の変更が必要でないときは再度、操作スイッチ１６をオンすると、制御器１３は直ちに運転条件Ｂ１の実行に入る。また、設定値の湯量を変更するときは、スイッチ１９をオンしてからスイッチ２０または２１をオン操作し、設定値の変更が済むと再度、操作スイッチ１６をオンすればよい。」（段落【００１１】）　　
　　　　　　　　　　
エ．「このデータが液晶表示器２５に表示されると、スイッチ１８，１９，２０，２１を操作して適切な運転条件（Ｉ）を設定入力する。そして、操作スイッチ１６の操作入力アップ信号により記憶器１５は初回データを変更して、設定入力の設定値を記憶保存する。同時に制御器１３は給湯器１１の運転を開始して浴槽８に湯張りを始め、水量センサ５の検出信号を積算する。積算量が設定値になると給湯器１１の運転を停止し、ＬＥＤランプ２２が消灯して湯張り給湯を終了する。翌日等に湯張り給湯を行うために操作スイッチ１６をオンして操作スタート信号を入力すると、液晶表示器２５に同一の設定値が表示される。浴槽水の湯張り条件は一般に季節によって変更され、浴槽８からの放熱ロスのレベルや気温と入浴温度の関係等により左右される。しかし、同一気温の同じ季節では大体毎日の湯張り条件は一定するもので、操作スイッチ１６を再度オン操作するだけの簡単な操作で済み、使い勝手が良くなる。」（段落【００１２】）　　
　　　　　　　　　　
　上記記載事項及び図面の記載内容からみて、刊行物には、次の発明（以下、「公知刊行物記載の発明」という。）が記載されていると認める。
　　　
「給湯器１１を制御するリモコン１２において、
　リモコン１２に設けた風呂の湯張り給湯を行う操作スイッチ１６の操作時初期に、リモコン１２の液晶表示器２５の画面を風呂湯量や風呂温度といった風呂に関する設定値を変更するための設定変更画面に切り替え、風呂に関する設定値を変更可能としたリモコン。」
　　
　　
３．対比
　本願発明と公知刊行物記載の発明を対比すると、公知刊行物記載の発明における「給湯器１１」、「液晶表示器２５」は、それぞれ、本願発明における「風呂給湯器」、「表示部」に相当する。
　また、公知刊行物記載の発明における「リモコン１２」は、風呂用給湯器を制御する「リモートコントローラ」であるから、公知刊行物記載の発明は、「風呂給湯器をリモートコントローラで制御するようにした風呂給湯器用リモートコントロール装置」に関するものといえる。　　
　さらに、公知刊行物記載の発明における「操作スイッチ１６」は、風呂の自動運転を行うためのものといえるから、本願発明における「自動スイッチ」に相当する。
　したがって、上記両者の一致点及び相違点は、次のとおりである。　　　　　　　　　　　　　　　　　　
［一致点］
「風呂給湯器をリモートコントローラで制御するようにした風呂給湯器用リモートコントロール装置であって、リモートコントローラに設けた風呂の自動運転を行う自動スイッチの操作当初、リモートコントローラの表示部の画面を風呂温度や風呂湯量といった風呂に関する設定値を変更するための設定変更画面に切り替え、風呂に関する設定値を変更可能とした風呂給湯器用リモートコントロール装置。」
　　
［相違点］
　本願発明では、リモートコントローラに複数種の設定項目に共通の選択スイッチを設け、この選択スイッチの操作でリモートコントローラの表示部に各種設定項目の設定変更画面を表示させ、表示された設定変更画面に対応する設定項目の設定変更を可能にする構成を備えるのに対して、公知刊行物記載の発明では、そのような構成が備えられていない点。
　　　　　
　　
４．当審の判断
　上記相違点について検討する。　
　　　　　　　　　　
　風呂給湯器用リモコン装置として、リモートコントローラに複数種の設定項目に共通の設定スイッチを設け、この設定スイッチの操作でリモートコントローラの表示部に各種設定項目の設定変更画面を表示させ、表示された設定変更画面に対応する設定項目の設定変更を可能としたものは、当業者にとって周知である（そのような例として、原審で拒絶査定の備考に示された特開２０００−３２４５６１号公報（「ユーザ設定項目Ａ」〜「ユーザ設定項目Ｅ」が「複数種の設定項目」に相当する。）や、特開２０００−２１７１７４号公報、特開２０００−３２４５６３号公報に記載されたものを挙げることができる。）。　　
　そして、公知刊行物記載の発明において上記相違点に係る本願発明の構成を採用することは、かかる周知の風呂給湯器用リモコン装置を考慮すれば、当業者が格別の創作能力を要さずになし得たことといえる。　　　　　　　　　　　
　また、本願発明の構成上、自動スイッチの操作当初に表示部の画面が設定表示画面に切り替わった際に設定値を変更するための手段が特定されているものではないし、また、公知刊行物記載の発明も、自動スイッチ（操作スイッチ１６）を操作したときには、他のスイッチを操作せずに表示画面が風呂に関する設定値の設定変更画面に切り替えられるようにしているのであるから、本願発明の構成により、公知刊行物記載の発明及び周知の風呂給湯器用リモコン装置から予期される以上の格別の効果が奏されるともいえない。
　　
　　
５．むすび
　以上のとおりであるから、本願発明は、公知刊行物記載の発明及び周知の風呂給湯器用リモコン装置に基づいて当業者が容易に発明をすることができたものであるので、特許法第２９条第２項の規定により特許を受けることができない。　　
　　　　　　　　　　　　　
　よって、結論のとおり審決する。